(57)【要約】      （修正有）【課題】携帯電話へ多くの電気を供給し、携帯電話の利便性及び安全性が向上する携帯電話が置換え可能な無線充放電腕バンドを提供する。【解決手段】携帯電話が置換え可能な無線充放電腕バンド１００は、バンド部１０、少なくとも１つの電池２０、ホルダー３０、充電コイル５０及び給電コイル７０を備える。電池２０は、バンド部１０に設置されるとともに、繰り返して充電することが可能で電気エネルギを蓄える。ホルダー３０は、バンド部１０上に設けられて係合槽３１を有する。充電コイル５０は、ホルダー３０の底部へ配設されてホルダー３０内に埋設されるとともに、電池２０と接続される。給電コイル７０は、ホルダー３０の頂部へ配設されてホルダー３０内に埋設されるとともに、電池２０と接続される。【選択図】図４
0003190075.tif 000002
【実用新案登録請求の範囲】
【請求項１】
バント部、少なくとも１つの電池、ホルダー、充電コイル及び給電コイルを備えた携帯電話が置換え可能な無線充放電腕バンドであって、
前記電池は、バント部に設置されるとともに、繰り返して充電することが可能で電気エネルギを蓄え、
前記ホルダーは、バント部上に設けられて係合槽を有し、
前記充電コイルは、ホルダーの底部へ配設されてホルダー内に埋設されるとともに、電池と接続され、
前記給電コイルは、ホルダーの頂部へ配設されてホルダー内に埋設されるとともに、電池と接続されることを特徴とする携帯電話が置換え可能な無線充放電腕バンド。
【請求項２】
前記バント部は、短手方向で間隔をおいて形成された複数のＶ字状溝を有し、
前記Ｖ字状溝は、短手方向でバント部を跨ぐように形成され、複数の電池がバント部の長手方向で間隔をおいて埋設され、
前記電池は、バント部のＶ字状溝の間に埋設され、Ｖ字状溝と間隔をおいて配設されていることを特徴とする請求項１に記載の携帯電話が置換え可能な無線充放電腕バンド。
【請求項３】
前記係合槽は、上方から底側へ向かうように上から下方向へかけて広がって形成され、
前記係合槽の一側のホルダーの周側には、挿入口が形成されていることを特徴とする請求項１に記載の携帯電話が置換え可能な無線充放電腕バンド。
【請求項４】
前記ホルダー内に埋設されたコンソールをさらに備え、
前記コンソールを介して充電コイル及び給電コイルが電池と接続されることを特徴とする請求項１に記載の携帯電話が置換え可能な無線充放電腕バンド。
【請求項５】
前記充電コイルと前記給電コイルとの間でホルダー内に埋設され、磁場を隔離して電磁干渉の発生を防ぐスペーサをさらに備えることを特徴とする請求項１に記載の携帯電話が置換え可能な無線充放電腕バンド。
【請求項６】
前記給電コイルの周側に配設されるとともに、ホルダー内に埋設されたＮＦＣコイルをさらに備えることを特徴とする請求項１に記載の携帯電話が置換え可能な無線充放電腕バンド。
【考案の詳細な説明】
【技術分野】
【０００１】
本考案は、無線充放電装置に関し、特に、携帯電話が置換え可能な無線充放電腕バンドに関する。
【背景技術】
【０００２】
携帯電話は、広く普及している携帯型通信装置である。電子技術の発展に伴い、携帯電話の機能は日増しに増え、現代人の生活にとって必要不可欠なツールとなっているが、携帯電話には電気エネルギが必要であり、従来の携帯電話は、有線給電装置により電気が供給されていたが、有線給電装置により携帯電話に電源を供給する給電方式を利用し、ユーザが携帯電話へ電気を供給する過程で、携帯電話の使用可能な範囲が有線給電装置の範囲により制限を受け、任意に携行して使用することができず、携帯電話を使用することが不便である上、携帯電話へ電気を供給することは有線給電装置の使用可能な範囲により制限を受け、いつでもどこでも携帯電話へ電気を供給することは困難である上、携帯電話を使用中に電気エネルギが不足する虞があった。ユーザは、携帯電話へ電気を供給する際、まず、有線給電装置を接続し、携帯電話を送電線へ接続して必要な電気エネルギを供給する。そのため、操作が不便である上、携帯電話と有線給電装置との接続箇所に漏電が発生するなどの危険が生じることがある。そのため本考案者は、上述したような従来技術の欠点に鑑み、長年の充放電装置の製造及び研究開発の経験に基づき本考案を案出した。
【考案の概要】
【考案が解決しようとする課題】
【０００３】
本考案の目的は、携帯電話へ多くの電気を供給し、携帯電話の利便性及び安全性が向上する携帯電話が置換え可能な無線充放電腕バンドを提供することにある。
【図面の簡単な説明】
【０００４】
【図１】本考案の一実施形態に係る携帯電話が置換え可能な無線充放電腕バンドを示す斜視図である。
【図２】本考案の一実施形態に係る携帯電話が置換え可能な無線充放電腕バンドを示す断面図である。
【図３】本考案の一実施形態に係る携帯電話が置換え可能な無線充放電腕バンドを使用するときの状態を示す斜視図である。
【図４】本考案の一実施形態に係る携帯電話が置換え可能な無線充放電腕バンドを示す断面図である。
【図５】本考案の一実施形態に係る携帯電話が置換え可能な無線充放電腕バンドが給電するときの状態を示すブロック図である。
【図６】本考案の一実施形態に係る携帯電話が置換え可能な無線充放電腕バンドが充電するときの状態を示すブロック図である。
【考案を実施するための形態】
【０００５】
図１及び図２を参照する。図１は、本考案の一実施形態に係る携帯電話が置換え可能な無線充放電腕バンドを示す斜視図である。図２は、本考案の一実施形態に係る携帯電話が置換え可能な無線充放電腕バンドを示す断面図である。図１及び図２に示すように、本考案の一実施形態に係る携帯電話が置換え可能な無線充放電腕バンド１００は、少なくともバント部１０、少なくとも１つの電池２０、ホルダー３０、コンソール４０、充電コイル５０、スペーサ６０、給電コイル７０及びＮＦＣコイル８０から構成される。
【０００６】
バント部１０は、防水材からなり防水性を備える。バント部１０には、短手方向で間隔をおいて複数のＶ字状溝１１が形成されている。これら複数のＶ字状溝１１は、バント部１０の短手方向で跨ぐように形成されている。バント部１０は、複数のＶ字状溝１１により形成された多数の履帯式構造からなり、Ｖ字状溝１１によりバント部１０上に厚さが小さい部位が形成され、好適な通気性及び可撓性を有する。ここでＶ字状溝１１は、バント部１０の外側面だけに形成されるのではなく、バント部１０の内側面に形成してもよく、バント部１０を多数の上面履帯式構造又は裏面履帯式構造に形成してもよい。
【０００７】
電池２０は、バント部１０を有する。電池２０は、繰り返し充電して電気エネルギを蓄えることができる。本実施形態の複数の電池２０は、バント部１０の長手方向で間隔をおいて埋設され、バント部１０の複数のＶ字状溝１１間にそれぞれ埋設され、Ｖ字状溝１１間に間隔をおいて配設され、電池２０は互いに電気的に接続される。
【０００８】
ホルダー３０は、バント部１０上に設けられる。本実施形態のホルダー３０は、バント部１０の中央部に設けられる。ホルダー３０上には、係合槽３１が形成される。係合槽３１の断面は階段状を呈している。即ち、係合槽３１は、上方から底側へ向かい上から下方向にかけて広がった形状を有する。係合槽３１の一側のホルダー３０の周側には挿入口３１１が形成されている。
【０００９】
コンソール４０は、ホルダー３０内に埋設され、電池２０と接続されている。
【００１０】
充電コイル５０は、ホルダー３０の底部へ配設されてホルダー３０内に埋設されている。充電コイル５０は、コンソール４０と接続されて電磁誘導により電流が発生し、電池２０へ電流が供給されて充電を行う。
【００１１】
スペーサ６０は、充電コイル５０の上方へ配設されるとともに、ホルダー３０内に埋設され、磁場を隔離して電磁干渉の発生を防ぐ。
【００１２】
給電コイル７０は、スペーサ６０の上方へ配設されるとともに、ホルダー３０の頂部へ配設されてホルダー３０内に埋設される。給電コイル７０は、コンソール４０と接続され、電池２０から電流が供給されて誘導磁界を発生させる。
【００１３】
ＮＦＣ（Ｎｅａｒ  Ｆｉｅｌｄ  Ｃｏｍｍｕｎｉｃａｔｉｏｎ）コイル８０は、給電コイル７０の周側へ配設されてホルダー３０内に埋設され、コンソール４０と接続される。
【００１４】
図３〜図５を参照する。図３〜図５に示すように、本考案の一実施形態に係る携帯電話が置換え可能な無線充放電腕バンド１００には、受電コイル２１０へ対応するように携帯電話２００が設置される。携帯電話２００のリアカバーには、係合槽３１に対応した係合ブロック２２０が突設されている。このような構成により、ユーザが携帯電話２００の係合ブロック２２０を係合槽３１の挿入口３１１へ挿入し、係合槽３１中へ携帯電話２００を係合させると携帯電話２００がホルダー３０と結合される。携帯電話が置換え可能な無線充放電腕バンド１００は、電池２０に蓄えられた電気エネルギがコンソール４０により制御されて給電コイル７０に電磁誘導が発生し、受電コイル２１０へ電気が送られて携帯電話２００へ電気が供給される。
【００１５】
ユーザは、携帯電話が置換え可能な無線充放電腕バンド１００を腕へ取り付けてからホルダー３０へ携帯電話２００を結合させることにより、いつでもどこでも携帯電話２００へ電気を供給することができ、携帯電話２００へ電気が供給されているときでも携帯電話２００を携行して使用することができるため、携帯電話２００の利便性及び安全性を向上させることができる。
【００１６】
ここでバント部１０のＶ字状溝１１間には、携帯電話が置換え可能な無線充放電腕バンド１００の携帯電話２００へ多くの電気を供給することができるように、複数の電池２０が埋設されている。
【００１７】
図６を参照する。図６に示すように、電池２０を再充電する際、充電コイル５０を介して無線給電装置３００を利用し、無線給電装置３００の１次コイル３１０へ商用電源が供給されると、電磁誘導方式により電気が充電コイル５０へ送られ、充電コイル５０は、電気エネルギをコンソール４０により制御した後に電池２０に蓄えられ、携帯電話が置換え可能な無線充放電腕バンド１００により携帯電話２００に必要な電気エネルギを供給して充電を行う。
【００１８】
ここで携帯電話が置換え可能な無線充放電腕バンド１００は、ＮＦＣコイル８０により近接場通信（ＮＦＣ）を行ってもよい。
【００１９】
ここで携帯電話が置換え可能な無線充放電腕バンド１００は、相違する色彩を組み合わせ、携帯電話が置換え可能な無線充放電腕バンド１００のバント部１０は、相違する幅及びサイズとなるように設計したり、各種携帯電話２００を組み合わせることができるように、ホルダー３０のサイズ及び材料を変えたりすることもできるため選択の幅が広く、流行に合わせて変化させることができる。
【００２０】
上述したことから分かるように、本考案は以下（１）〜（３）の長所を有する。
（１）携帯電話が置換え可能な無線充放電腕バンド１００には、バント部１０上に充電コイル５０及び給電コイル７０のホルダー３０が設けられている。バント部１０を無線充放電装置へ結合させ、係合槽３１を介して携帯電話２００をホルダー３０上へ選択的に係合させた後、電磁誘導方式により発生させた電気を送ることにより、ユーザはいつでもどこでも携帯電話２００に電気を供給し、携帯電話２００へ電気を供給しながら携帯電話２００を任意に携行して使用することができるため、携帯電話２００の利便性及び安全性を向上させることができる。
（２）携帯電話が置換え可能な無線充放電腕バンド１００は、係合槽３１を介して携帯電話２００を選択的にホルダー３０上へ係合させることができるため、ユーザは、ホルダー３０に係合する携帯電話２００を任意交換することができる。
（３）携帯電話が置換え可能な無線充放電腕バンド１００には、係合槽３１を介して携帯電話２００を選択的にホルダー３０上へ係合させ、充電コイル５０及び給電コイル７０を利用して電磁誘導方式により電気を送り、携帯電話２００とホルダー３０との間の接点を無くす方式により係合させて電気を送ることができるため、携帯電話２００の利便性及び安全性を向上させることができる。
【符号の説明】
【００２１】
１０    バント部
１１    Ｖ字状溝
２０    電池
３０    ホルダー
３１    係合槽
４０    コンソール
５０    充電コイル
６０    スペーサ
７０    給電コイル
８０    ＮＦＣコイル
１００  携帯電話が置換え可能な無線充放電腕バンド
２００  携帯電話
２１０  受電コイル
２２０  係合ブロック
３００  無線給電装置
３１０  １次コイル
３１１  挿入口
【図１】
0003190075.tif 000003
【図２】
0003190075.tif 000004
【図３】
0003190075.tif 000005
【図４】
0003190075.tif 000006
【図５】
0003190075.tif 000007
【図６】
0003190075.tif 000008
【手続補正書】
【提出日】平成26年2月10日(2014.2.10)
【手続補正１】
【補正対象書類名】明細書
【補正対象項目名】０００６
【補正方法】変更
【補正の内容】
【０００６】
バンド部１０は、防水材からなり防水性を備える。バンド部１０には、短手方向で間隔をおいて複数のＶ字状溝１１が形成されている。これら複数のＶ字状溝１１は、バンド部１０の短手方向で跨ぐように形成されている。バンド部１０は、複数のＶ字状溝１１により形成された多数の履帯式構造からなり、Ｖ字状溝１１によりバンド部１０上に厚さが小さい部位が形成され、好適な通気性及び可撓性を有する。ここでＶ字状溝１１は、バンド部１０の外側面だけに形成されるのではなく、バンド部１０の内側面に形成してもよく、バンド部１０を多数の上面履帯式構造又は裏面履帯式構造に形成してもよい。
【手続補正２】
【補正対象書類名】明細書
【補正対象項目名】０００７
【補正方法】変更
【補正の内容】
【０００７】
電池２０は、バンド部１０を有する。電池２０は、繰り返し充電して電気エネルギを蓄えることができる。本実施形態の複数の電池２０は、バンド部１０の長手方向で間隔をおいて埋設され、バンド部１０の複数のＶ字状溝１１間にそれぞれ埋設され、Ｖ字状溝１１間に間隔をおいて配設され、電池２０は互いに電気的に接続される。
【手続補正３】
【補正対象書類名】明細書
【補正対象項目名】０００８
【補正方法】変更
【補正の内容】
【０００８】
ホルダー３０は、バンド部１０上に設けられる。本実施形態のホルダー３０は、バンド部１０の中央部に設けられる。ホルダー３０上には、係合槽３１が形成される。係合槽３１の断面は階段状を呈している。即ち、係合槽３１は、上方から底側へ向かい上から下方向にかけて広がった形状を有する。係合槽３１の一側のホルダー３０の周側には挿入口３１１が形成されている。
【手続補正４】
【補正対象書類名】明細書
【補正対象項目名】００１６
【補正方法】変更
【補正の内容】
【００１６】
ここでバンド部１０のＶ字状溝１１間には、携帯電話が置換え可能な無線充放電腕バンド１００の携帯電話２００へ多くの電気を供給することができるように、複数の電池２０が埋設されている。
【手続補正５】
【補正対象書類名】明細書
【補正対象項目名】００１９
【補正方法】変更
【補正の内容】
【００１９】
ここで携帯電話が置換え可能な無線充放電腕バンド１００は、相違する色彩を組み合わせ、携帯電話が置換え可能な無線充放電腕バンド１００のバンド部１０は、相違する幅及びサイズとなるように設計したり、各種携帯電話２００を組み合わせることができるように、ホルダー３０のサイズ及び材料を変えたりすることもできるため選択の幅が広く、流行に合わせて変化させることができる。
【手続補正６】
【補正対象書類名】明細書
【補正対象項目名】００２０
【補正方法】変更
【補正の内容】
【００２０】
上述したことから分かるように、本考案は以下（１）〜（３）の長所を有する。
（１）携帯電話が置換え可能な無線充放電腕バンド１００には、バンド部１０上に充電コイル５０及び給電コイル７０のホルダー３０が設けられている。バンド部１０を無線充放電装置へ結合させ、係合槽３１を介して携帯電話２００をホルダー３０上へ選択的に係合させた後、電磁誘導方式により発生させた電気を送ることにより、ユーザはいつでもどこでも携帯電話２００に電気を供給し、携帯電話２００へ電気を供給しながら携帯電話２００を任意に携行して使用することができるため、携帯電話２００の利便性及び安全性を向上させることができる。
（２）携帯電話が置換え可能な無線充放電腕バンド１００は、係合槽３１を介して携帯電話２００を選択的にホルダー３０上へ係合させることができるため、ユーザは、ホルダー３０に係合する携帯電話２００を任意交換することができる。
（３）携帯電話が置換え可能な無線充放電腕バンド１００には、係合槽３１を介して携帯電話２００を選択的にホルダー３０上へ係合させ、充電コイル５０及び給電コイル７０を利用して電磁誘導方式により電気を送り、携帯電話２００とホルダー３０との間の接点を無くす方式により係合させて電気を送ることができるため、携帯電話２００の利便性及び安全性を向上させることができる。
【手続補正７】
【補正対象書類名】明細書
【補正対象項目名】００２１
【補正方法】変更
【補正の内容】
【００２１】
１０    バンド部
１１    Ｖ字状溝
２０    電池
３０    ホルダー
３１    係合槽
４０    コンソール
５０    充電コイル
６０    スペーサ
７０    給電コイル
８０    ＮＦＣコイル
１００  携帯電話が置換え可能な無線充放電腕バンド
２００  携帯電話
２１０  受電コイル
２２０  係合ブロック
３００  無線給電装置
３１０  １次コイル
３１１  挿入口
【手続補正８】
【補正対象書類名】実用新案登録請求の範囲
【補正対象項目名】請求項１
【補正方法】変更
【補正の内容】
【請求項１】
バンド部、少なくとも１つの電池、ホルダー、充電コイル及び給電コイルを備えた携帯電話が置換え可能な無線充放電腕バンドであって、
前記電池は、バンド部に設置されるとともに、繰り返して充電することが可能で電気エネルギを蓄え、
前記ホルダーは、バンド部上に設けられて係合槽を有し、
前記充電コイルは、ホルダーの底部へ配設されてホルダー内に埋設されるとともに、電池と接続され、
前記給電コイルは、ホルダーの頂部へ配設されてホルダー内に埋設されるとともに、電池と接続されることを特徴とする携帯電話が置換え可能な無線充放電腕バンド。
【手続補正９】
【補正対象書類名】実用新案登録請求の範囲
【補正対象項目名】請求項２
【補正方法】変更
【補正の内容】
【請求項２】
前記バンド部は、短手方向で間隔をおいて形成された複数のＶ字状溝を有し、
前記Ｖ字状溝は、短手方向でバンド部を跨ぐように形成され、複数の電池がバンド部の長手方向で間隔をおいて埋設され、
前記電池は、バンド部のＶ字状溝の間に埋設され、Ｖ字状溝と間隔をおいて配設されていることを特徴とする請求項１に記載の携帯電話が置換え可能な無線充放電腕バンド。